(57)【要約】      （修正有）【課題】効率良く食物残渣を分解減量処理することができ、残渣分解作業の能率向上を図る食物残渣分解攪拌処理装置の攪拌翼を提供する。【解決手段】食物残渣を分解減量処理するために、原料を原料破砕機によって破砕し、攪拌処理装置に投入して、攪拌処理装置の内部にあらかじめ投入された木材チップ内の菌と共に攪拌翼３３、３４、３５で攪拌するものであって、攪拌翼３３、３４、３５は、加熱攪拌処理装置の内底面上方に配した回転軸２９の長さ方向に沿って、角度９０°ごとに位置を違えて取付けられて構成される。【選択図】図９
0003227203.tif 000002
【実用新案登録請求の範囲】
【請求項１】
食物残渣を分解減量処理するために、原料を原料破砕機によって破砕し、攪拌処理装置に投入して、攪拌処理装置の内部にあらかじめ投入された木材チップ内の菌と共に攪拌翼で攪拌するものであって、前記攪拌翼は、攪拌処理装置の内底面上方に配した回転軸の長さ方向に沿って、角度９０°ごとに位置を違えて取付けられていることを特徴とする食物残渣分解攪拌処理装置の攪拌翼構造。
【請求項２】
攪拌翼は、各々が回転軸の長さ方向に対し、任意の組込角度に取付けられている請求項１に記載の食物残渣分解攪拌処理装置の攪拌翼構造。
【請求項３】
攪拌翼は、各々が略Ｔ字型となっており、そのＴ字型の先端には加熱攪拌処理装置の内底面に沿って摺動する２つの突起が形成されている請求項１または２に記載の食物残渣分解攪拌処理装置の攪拌翼構造。
【請求項４】
回転軸の端部側には、回転軸の長さ方向に対し４５°に組込角度を違えて略レ字型の攪拌翼がさらに取付けられている請求項１乃至３に記載の食物残渣分解攪拌処理装置の攪拌翼構造。
【考案の詳細な説明】
【技術分野】
【０００１】
本考案は食物残渣を分解減量処理するための食物残渣攪拌処理装置の攪拌翼構造に関する。
【背景技術】
【０００２】
従来、多くの食物残渣分解処理を行う攪拌装置が提供されている。
【０００３】
また、攪拌装置としては、例えば特許文献１に開示されているように、攪拌軸に取り付けられ前記攪拌軸の回転により前記少なくとも底部内面を掻き取り摺動する複数の主掻取羽根を所定間隔で規定位置に備えた主支持桿と、該主支持桿に対し副支持部により支持され少なくとも前記主掻取羽根の掻き取り残し部分を掻き取り摺動する副掻取羽根とよりなり、前記攪拌軸は、前記加熱釜の底部に支持され、前記副掻取羽根は、前記加熱釜の底部に接する先端が前記攪拌軸に隣接し、且つ攪拌軸の回転方向後方へ後傾して設定されている。
【０００４】
あるいは、前記攪拌軸は、前記加熱釜の底部から離間して配置され、前記副掻取羽根は、前記加熱釜の底部に接する先端が前記攪拌軸の軸心の延長上に配置され、且つ攪拌軸の回転方向の後方へ後傾して設定されている。
【０００５】
さらには、前記攪拌軸は、前記加熱釜に対して斜めに配置され、前記副支持部は、前記主支持桿に取り付けられた枝桿であり、前記副掻取羽根は、前記加熱釜の底部中央を掻き取り摺動するように配置されている。
【先行技術文献】
【特許文献】
【０００６】
【特許文献１】特開２００１−２３２１６６号公報
【考案の概要】
【考案が解決しようとする課題】
【０００７】
しかしながら、食物残渣を分解減量処理するためには、単に副掻取羽根が攪拌軸に隣接し、且つ攪拌軸の回転方向後方へ後傾して設定されているものでは、効率が悪く、食物残渣を分解減量処理するには、このような後方傾斜のみでは、非常に難しいという問題点を有していた。
【０００８】
そこで、本考案は叙上のような従来存した諸事情に鑑み創出されたもので、木材チップと菌を使用して効率良く食物残渣を分解減量処理することのできる食物残渣分解攪拌処理装置の攪拌翼構造を提供することを目的とする。
【課題を解決するための手段】
【０００９】
上述した課題を解決するために、本考案に係る食物残渣分解減量装置にあっては、食物残渣を分解減量処理するために、原料を原料破砕機によって破砕し、攪拌処理装置に投入して、攪拌処理装置の内部にあらかじめ投入された木材チップ内の菌と共に攪拌翼で攪拌するものであって、前記攪拌翼は、攪拌処理装置の内底面上方に配した回転軸の長さ方向に沿って、角度９０°ごとに位置を違えて取付けられている。
【００１０】
攪拌翼は、各々が回転軸の長さ方向に対し、任意の組込角度に取付けられている。
【００１１】
攪拌翼は、各々が略Ｔ字型となっており、そのＴ字型の先端には攪拌処理装置の内底面に沿って摺動する２つの突起が形成されている。
【００１２】
回転軸の端部側には、回転軸の長さ方向に対し、任意の組込角度を違えて略レ字型の攪拌翼が取付けられている。
【考案の効果】
【００１３】
本考案によれば、木材チップと菌によって効率良く食物残渣を分解減量処理することができる。
【００１４】
すなわち、これは本考案に係る食物残渣分解攪拌装置の攪拌翼構造が、攪拌翼は、加熱攪拌処理装置の内底面上方に配した回転軸の長さ方向に沿って、角度９０°ごとに位置を違えて取付けられているので、効率良く酸素を取り入れることができ、食物残渣を効率良く分解減量処理することができる。しかも処理後の掃除も容易である。
【００１５】
攪拌翼は、各々が回転軸の長さ方向に対し、任意の組込角度に取付けられているので、回転軸の回転に伴い、食物残渣を分解減量処理することができる。
【００１６】
攪拌翼は、各々が略Ｔ字型となっており、そのＴ字型の先端には攪拌処理装置の内底面に沿って摺動する２つの突起が形成されているので、効率良く酸素を取り入れることができる。しかも、攪拌時の抵抗力を極力減らすことができる。
【００１７】
回転軸の端部側には、回転軸の長さ方向に対し、任意の組込角度を違えて略レ字型の攪拌翼が取付けられているので、残渣のかたよりを防止し、攪拌時の回転軸端部における抵抗力を極力減らすことができる。
【図面の簡単な説明】
【００１８】
【図１】本考案を実施するための一形態における食物残渣分解減量処理装置の全体配置構成を示す斜視図である。
【図２】原料ホッパー側の斜視図である。
【図３】残渣分解減量処理装置の全体配置構成を示す正面図である。
【図４】同じく残渣分解減量処理装置の全体配置構成を示す側面図である。
【図５】同じく残渣分解減量処理装置の全体配置構成を示す平面図である。
【図６】残渣分解減量処理装置における攪拌処理装置の正面図である。
【図７】同じく残渣分解減量処理装置における攪拌処理装置の平面図である。
【図８】同じく残渣分解減量処理装置における攪拌処理装置の側面図である。
【図９】攪拌処理装置内に配設した攪拌翼の回転軸への配置例を示す斜視図である。
【図１０】回転軸への配置例を示す正面図である。
【図１１】同じく攪拌処理装置内に配設した攪拌翼の回転軸への配置例を示す側面図である。
【図１２】同じく攪拌処理装置内に配設した攪拌翼の回転軸への配置例を示す平面図である。
【図１３】回転軸に配置する攪拌翼の形状を示す平面図である。
【図１４】回転軸の両端側に取付けられる攪拌翼の形状を示す平面図である。
【図１５】回転軸に配置する攪拌翼の形状の他例を示す平面図である。
【考案を実施するための形態】
【００１９】
以下、図面を参照して本考案の実施の一形態を詳細に説明する。
本実施例は、食物残渣分解減量処理装置Ｐの具体例について説明する。すなわち、図１、図２、図３、図４、図５、図６、図７、図８に示すように、食物残渣分解減量処理装置Ｐは、一般の食物残渣を含む原料を投入するよう、ブリッジ防止掻き落とし部１１とその下側にスクリュー式の原料供給コンベア１２を備えた原料ホッパー１３と、原料供給コンベア１２により原料ホッパー１３の外側に排出した原料を破砕するよう原料ホッパー１３の下部前方に配した原料破砕機１４と、原料破砕機１４の下側に横向きとなって配した破砕原料移送コンベア１５を備えている。尚、処理装置Ｐ内には予め木材チップに食物分解用菌が植え付けられた状態で投入されている。
【００２０】
また、破砕原料移送コンベア１５からの破砕原料を真上に送り込むよう破砕原料移送コンベア１５の端部において垂直に接続した破砕原料投入コンベア１６と、破砕原料投入コンベア１６の上端の排出口１６Ａから破砕原料を投入するよう、点検口１７を含む投入口１８を上側端部に配した攪拌処理装置１９を備えている。熱攪拌処理装置１９はその後部側に機械室２０を有し、機械室２０内には、制御盤２１とバーナー燃料タンク２２、２つの攪拌機駆動ギヤードモーター２３Ａ，２３Ｂ、加熱ブロワー２４、バーナー２５、ルーツ式の真空ブロアー２６、ロータリージョイント２７を備えている。
【００２１】
また、機械室２０に隣接して攪拌処理装置１９の上側には排気口２８を有し、攪拌処理装置１９の前端には、後述する２つの回転軸２９に対応した２つの排出口３０を有している。攪拌処理装置１９の内部には、２つの円弧状の内底部１９Ａが配置され、それぞれの上方には後述する攪拌翼３３を備えた回転軸２９が並設されている。この攪拌翼３３は回転軸２９の回転により下側の内底部１９Ａの上を摺動する。そして、回転軸２９それぞれの端部は軸受２９Ａにより支持され、各一端側には前記攪拌機駆動ギヤードモーター３１にエンドレスベルト３２を介して繋がっている。
【００２２】
図９、図１０、図１１、図１２示すように、回転軸２９には長さ方向に沿って、略Ｔ字型の攪拌翼３３が角度９０°ごとに位置を違えて取付けられている。このとき、攪拌翼３３は各別に組込角度を違えて取付けられている。すなわち、回転軸２９の長さ方向に対し各々が任意の角度、例えば４５°の角度を付して取付けられている。また、回転軸２９の両端部側から２か所の部位には、略レ字型の攪拌翼３４が取付けられ、食物残渣のかたよりを防止している。尚、軸方向の排出側の端部からさらに内軸側には略レ字型の攪拌翼３４の代わりに略Ｌ字型の攪拌翼３５が取付けられていても良い。
【００２３】
次に、以上のように構成された形態についての使用の一例について説明すると、先ず、図１に示すように、原料ホッパー１３より食物残渣たる原料が投入され、ブリッジ防止掻き落とし部１１によって原料供給コンベア１２に落とされる。
【００２４】
そして、原料供給コンベア１２のスクリューによって原料は原料ホッパー１３外部の原料破砕機１４に落とされ、そこで原料は細かく破砕される。破砕された原料は、破砕原料移送コンベア１５から破砕原料投入コンベア１６に移送され、排出口１６Ａから加熱攪拌処理装置１９の投入口１８に投入される。
【００２５】
図６に示すように、破砕された原料は、攪拌処理装置１９の内部を、２つの攪拌機駆動ギヤードモーター３１によって互いに回転する２つの回転軸２９の攪拌翼３３，３４，３５でもって攪拌される。
【００２６】
ガスが排気口２８より排出され、食物残渣を分解減量処理したカスが２つの排出口３０より排出される。このとき、図１０、図１１、図１２に示すように、攪拌翼３３，３４の外形状と組込角度とから、破砕された原料は効率良く攪拌される。
【００２７】
本実施例では、図１３に示すように、攪拌翼３３は胴部３６が上端に行くにしたがって次第に細くなり、その先端が幅広な略Ｔ字型のアーム３７を備え、その上端に２つの突起３８を備えている。これにより、前記内底面１９Ａへの攪拌翼３３の接触抵抗を少なくすることができる。
【００２８】
また、図１４に示すように、回転軸２９の両端側に配置する攪拌翼３４の形状は、ストレートな胴部３９の先端が片方に曲げられた略レ字型のアーム４０となっている。
【００２９】
この場合、バーナー２５は予備熱源であって、木材チップ内の菌の温度が約６０℃〜８０℃まで温度上昇し、食物残渣を分解する。
【００３０】
次に、以上のように構成された攪拌翼の形状の他例について説明する。
本例では、図１５に示すように、攪拌翼３３は、先細りの胴部４１の先端に幅広な略Ｔ字型のアーム４２を備え、回転軸２９の長さ方向に対して４５度の角度で取付けられている。本他例においても前記実施形態と同様な作用効果を奏する。
【００３１】
なお、一々例示はしないが、本考案は、その趣旨を逸脱しない範囲内において、種々の変更が加えられて実施されるものである。
【符号の説明】
【００３２】
Ｐ…残渣分解減量処理装置
１１…ブリッジ防止掻き落とし部
１２…原料供給コンベア
１３…原料ホッパー
１４…原料破砕機
１５…破砕原料移送コンベア
１６…破砕原料投入コンベア
１６Ａ…排出口
１７…点検口
１８…投入口
１９…攪拌処理装置
１９Ａ…内底面
２０…機械室
２１…制御盤
２２…バーナー燃料タンク
２３Ａ，２３Ｂ…攪拌機駆動ギヤードモーター
２４…加熱ブロワー
２５…バーナー
２６…真空ブロアー
２７…ロータリージョイント
２８…排気口
２９…回転軸
２９Ａ…軸受
３０…排出口
３１…攪拌機駆動ギヤードモーター
３２…エンドレスベルト
３３，３４，３５…攪拌翼
３６…胴部
３７…アーム
３８…突起
３９…胴部
４０…アーム
４１…胴部
４２…アーム
【図１】
0003227203.tif 000003
【図２】
0003227203.tif 000004
【図３】
0003227203.tif 000005
【図４】
0003227203.tif 000006
【図５】
0003227203.tif 000007
【図６】
0003227203.tif 000008
【図７】
0003227203.tif 000009
【図８】
0003227203.tif 000010
【図９】
0003227203.tif 000011
【図１０】
0003227203.tif 000012
【図１１】
0003227203.tif 000013
【図１２】
0003227203.tif 000014
【図１３】
0003227203.tif 000015
【図１４】
0003227203.tif 000016
【図１５】
0003227203.tif 000017
【手続補正書】
【提出日】令和2年4月10日(2020.4.10)
【手続補正１】
【補正対象書類名】実用新案登録請求の範囲
【補正対象項目名】全文
【補正方法】変更
【補正の内容】
【実用新案登録請求の範囲】
【請求項１】
食物残渣を分解減量処理するために、原料を原料破砕機によって破砕し、攪拌処理装置に投入して、前記攪拌処理装置の内部にあらかじめ投入された木材チップ内の菌と共に攪拌する食物残渣分解攪拌処理装置の攪拌翼であって、
前記攪拌処理装置の内底面上方に配した回転軸の長さ方向に沿って、角度９０°ごとに位置を違えて取付けられていることを特徴とする食物残渣分解攪拌処理装置の攪拌翼。
【請求項２】
前記攪拌翼は、各々が前記回転軸の長さ方向に対し、任意の組込角度で取付けられている請求項１に記載の食物残渣分解攪拌処理装置の攪拌翼。
【請求項３】
前記攪拌翼は、各々が略Ｔ字型となっており、そのＴ字型の攪拌翼の先端には前記攪拌処理装置の内底面に沿って摺動する２つの突起が形成されている請求項１または２に記載の食物残渣分解攪拌処理装置の攪拌翼。
【請求項４】
前記回転軸の端部側には、前記回転軸の長さ方向に対し、任意の組込角度で略レ字型または略Ｌ字型の攪拌翼がさらに取付けられている請求項１乃至３のいずれか１項に記載の食物残渣分解攪拌処理装置の攪拌翼。
【手続補正３】
【補正対象書類名】明細書
【補正対象項目名】０００１
【補正方法】変更
【補正の内容】
【０００１】
本考案は食物残渣を分解減量処理するための食物残渣攪拌処理装置の攪拌翼に関する。
【手続補正４】
【補正対象書類名】明細書
【補正対象項目名】０００８
【補正方法】変更
【補正の内容】
【０００８】
そこで、本考案は叙上のような従来存した諸事情に鑑み創出されたもので、木材チップと菌を使用して効率良く食物残渣を分解減量処理することのできる食物残渣分解攪拌処理装置の攪拌翼を提供することを目的とする。
【手続補正５】
【補正対象書類名】明細書
【補正対象項目名】０００９
【補正方法】変更
【補正の内容】
【０００９】
上述した課題を解決するために、本考案に係る食物残渣分解減量装置の攪拌翼の構成は、食物残渣を分解減量処理するために、原料を原料破砕機によって破砕し、攪拌処理装置に投入して、前記攪拌処理装置の内部にあらかじめ投入された木材チップ内の菌と共に攪拌する食物残渣分解攪拌処理装置の攪拌翼であって、前記攪拌処理装置の内底面上方に配した回転軸の長さ方向に沿って、角度９０°ごとに位置を違えて取付けられていることを特徴とする。
【手続補正６】
【補正対象書類名】明細書
【補正対象項目名】００１０
【補正方法】変更
【補正の内容】
【００１０】
前記攪拌翼は、各々が前記回転軸の長さ方向に対し、任意の組込角度で取付けられている。
【手続補正７】
【補正対象書類名】明細書
【補正対象項目名】００１１
【補正方法】変更
【補正の内容】
【００１１】
前記攪拌翼は、各々が略Ｔ字型となっており、そのＴ字型の攪拌翼の先端には前記攪拌処理装置の内底面に沿って摺動する２つの突起が形成されている。
【手続補正８】
【補正対象書類名】明細書
【補正対象項目名】００１２
【補正方法】変更
【補正の内容】
【００１２】
前記回転軸の端部側には、前記回転軸の長さ方向に対し、任意の組込角度で略レ字型または略Ｌ字型の攪拌翼がさらに取付けられている。
【手続補正９】
【補正対象書類名】明細書
【補正対象項目名】００１４
【補正方法】変更
【補正の内容】
【００１４】
すなわち、本考案に係る食物残渣分解攪拌装置の攪拌翼が、攪拌処理装置の内底面上方に配した回転軸の長さ方向に沿って、角度９０°ごとに位置を違えて取付けられているので、効率良く酸素を取り入れることができ、食物残渣を効率良く分解減量処理することができる。しかも処理後の掃除も容易である。
【手続補正１０】
【補正対象書類名】明細書
【補正対象項目名】００１６
【補正方法】変更
【補正の内容】
【００１６】
攪拌翼は、各々が略Ｔ字型となっており、そのＴ字型の攪拌翼の先端には攪拌処理装置の内底面に沿って摺動する２つの突起が形成されているので、効率良く酸素を取り入れることができる。しかも、攪拌時の抵抗力を極力減らすことができる。
【手続補正１１】
【補正対象書類名】明細書
【補正対象項目名】００１７
【補正方法】変更
【補正の内容】
【００１７】
回転軸の端部側には、回転軸の長さ方向に対し、任意の組込角度で略レ字型または略Ｌ字型の攪拌翼がさらに取付けられているので、残渣のかたよりを防止し、攪拌時の回転軸端部における抵抗力を極力減らすことができる。